(57)【要約】【課題】建設現場近くの建設資材の販売店の場所を簡単に知ることができる。【解決手段】１は単体シート状の地図であり、１枚の用紙２に設けられた方形の地図印刷領域３に所定の地理的エリアの道路、鉄道、河川、公園、公共施設等の各種地図要素を含む所定の縮尺の地図が印刷されている。地図中には、各種の建設資材販売店（建築金物店、管材店、電材店、土木・建築材料店、作業服店、ホームセンター、空調資材店等）の位置マーク「☆１」、「☆２」、・・、「☆５」が所在地に該当する箇所に、対応する店名とともに追加されている。これらの位置マーク「☆１」、「☆２」、・・、「☆５」により、建設作業をしている作業者は、急に建設資材が必要になった場合に、建設作業現場周辺を含む地図上で建設資材販売店の場所と建設現場からのルートを確認でき、すぐに建設資材販売店に行って必要な資材を購入することができる。【選択図】　　　　図１
2004126494.tif 000002
【特許請求の範囲】
【請求項１】
用紙に所定のエリアの道路を含む地図を表し、地図中に建設資材販売店の位置マークを追加したこと、
を特徴とする地図。
【請求項２】
建設資材販売店の位置マークに、店名、住所、販売品目、電話番号の内少なくとも店名を併記したこと、
を特徴とする請求項１記載の地図。
【請求項３】
地図中に位置マークの追加された各建設資材販売店の店名、住所、電話番号、地図中の表示場所、販売品目の内、少なくとも店名と住所と電話番号を用紙の余白に表記したこと、
を特徴とする請求項１記載の地図。
【請求項４】
地図中に位置マークの追加された各建設資材販売店の店名、住所、電話番号、地図中の表示場所、販売品目の内、少なくとも店名と住所と電話番号を用紙の余白にリスト型式で表記したこと、
を特徴とする請求項１記載の地図。
【請求項５】
各頁に異なるエリアの道路を含む地図を表し、地図中に建設資材販売店の位置マークを追加したこと、
を特徴とする冊子状の地図。
【請求項６】
位置マークに、店名、住所、販売品目、電話番号の内、少なくとも店名を併記したこと、
を特徴とする請求項５記載の地図。
【請求項７】
地図中に位置マークの追加された各建設資材販売店の店名、住所、電話番号、地図中の表示場所、販売品目の内、少なくとも店名と住所と電話番号を各頁の余白または索引頁に表記したこと、
を特徴とする請求項５記載の地図。
【請求項８】
地図中に位置マークの追加された各建設資材販売店の店名、住所、電話番号、地図中の表示場所、販売品目の内、少なくとも店名と住所と電話番号をリスト型式で各頁の余白または索引頁に表記したこと、
を特徴とする請求項５記載の地図。
【請求項９】
地図表示用の地図データを記憶した地図データ記憶手段と、地図の検索操作をする操作手段と、地図画面を表示する表示手段と、操作手段で検索された所望エリアの地図データを地図データ記憶手段から読み出し、地図画像を描画して表示手段に表示させる地図描画手段と、を備えた地図表示装置において、
地図表示用の地図データ中に、建設資材販売店の位置を示す位置マークを追加し、地図描画手段は所望エリアの地図画像を描画する際、建設資材販売店の位置を示す位置マークも描画するようにしたこと、
を特徴とする地図表示装置。
【請求項１０】
地図表示用の地図データ中に、建設資材販売店の位置マークとともに、店名、住所、販売品目、電話番号の内少なくとも店名情報を付属しておき、地図描画手段は所望エリアの地図画像を描画する際、建設資材販売店の位置を示す位置マークと一緒に、店名、住所、販売品目、電話番号の内少なくとも店名情報を描画するようにしたこと、
を特徴とする請求項９記載の地図表示装置。
【請求項１１】
地図表示用の地図データを蓄積し、外部からの要求に応じて地図データをネットワーク経由で配信する地図データ配信装置と、地図の検索操作をする操作手段と、地図画面を表示する表示手段と、操作手段で検索された所望エリアの地図データを外部の地図データ配信装置に要求し、返信された地図データを記憶手段に記憶させ、所望エリアの地図画像を描画して表示手段に表示させる地図描画手段とを備えた地図表示装置と、から成る地図表示システムにおいて、
地図データ配信装置では地図表示用の地図データ中に、建設資材販売店の位置を示す位置マークを追加しておき、
地図表示装置の地図描画手段は所望エリアの地図画像を描画する際、建設資材販売店の位置を示す位置マークも描画するようにしたこと、
を特徴とする地図表示システム。
【請求項１２】
地図データ配信装置では地図表示用の地図データ中に、建設資材販売店の位置マークとともに、店名、住所、販売品目、電話番号の内少なくとも店名情報を付属しておき、
地図表示装置の地図描画手段は所望エリアの地図画像を描画する際、建設資材販売店の位置を示す位置マークと一緒に、店名、住所、販売品目、電話番号の内少なくとも店名情報を描画するようにしたこと、
を特徴とする請求項１１記載の地図表示システム。
【請求項１３】
地図表示用の地図データを記憶した地図データ記憶手段と、現在位置を検出する現在位置検出手段と、地図画面を表示する表示手段と、現在位置検出手段で検出された現在位置周辺の地図データを地図データ記憶手段から読み出し、地図画像を描画して表示手段に表示させる地図描画手段と、を備えた地図表示装置において、
地図表示用の地図データ中に、建設資材販売店の位置を示す位置マークを追加し、地図描画手段は現在位置周辺の地図画像を描画する際、建設資材販売店の位置を示す位置マークも描画するようにしたこと、
を特徴とする地図表示装置。
【請求項１４】
地図表示用の地図データ中に、建設資材販売店の位置マークとともに、店名、住所、販売品目、電話番号の内少なくとも店名情報を付属しておき、地図描画手段は現在位置周辺の地図画像を描画する際、建設資材販売店の位置を示す位置マークと一緒に、店名、住所、販売品目、電話番号の内少なくとも店名情報を描画するようにしたこと、
を特徴とする請求項１３記載の地図表示装置。
【請求項１５】
地図表示用の地図データを蓄積し、外部からの要求に応じて地図データをネットワーク経由で配信する地図データ配信装置と、現在位置を検出する現在位置検出手段と、地図画面を表示する表示手段と、現在位置検出手段で検出された現在位置周辺の地図データを地図データ記憶手段から読み出し、地図画像を描画して表示手段に表示させる地図描画手段とを備えた地図表示装置、から成る地図表示システムにおいて、
地図データ配信装置では地図表示用の地図データ中に、建設資材販売店の位置を示す位置マークを追加しておき、
地図表示装置の地図描画手段は現在位置周辺の地図画像を描画する際、建設資材販売店の位置を示す位置マークも描画するようにしたこと、
を特徴とする地図表示システム。
【請求項１６】
地図データ配信装置では地図表示用の地図データ中に、建設資材販売店の位置マークとともに、店名、住所、販売品目、電話番号の内少なくとも店名情報を付属しておき、
地図表示装置の地図描画手段は現在位置周辺の地図画像を描画する際、建設資材販売店の位置を示す位置マークと一緒に、店名、住所、販売品目、電話番号の内少なくとも店名情報を描画するようにしたこと、
を特徴とする請求項１５記載の地図表示システム。
【発明の詳細な説明】
【０００１】
【発明の属する技術分野】
本発明は地図、地図表示装置、地図表示システムに係り、とくに家屋、ビル等の建設物の建設作業者が建設資材販売店の所在を簡単に地図または地図画像上で確認できるようにした地図、地図表示装置、地図表示システムに関する。
【０００２】
【従来の技術】
地図には１枚の用紙に所定の地理的エリアの地図を印刷した単体シート状の地図、各頁に地理的エリアの異なる地図を印刷した冊子状の地図が有り、道路、鉄道、河川、公共施設、信号機、交差点名などの各種地図要素が所定の縮尺で表されている（株式会社昭文社刊「都市地図　エアリアマップ　八王子市」１９９８年発行、株式会社昭文社刊「県別マップル　東京都１／３万道路地図」１９９５年５月発行参照）。
【０００３】
【発明が解決しようとする課題】
ところで、家屋、ビル、その他の建設物の建設現場において作業中に建設資材が足りないことが判り、急に購入が必要になる場合がある。作業者は自宅や会社から遠く離れた建設現場を転々と移動して作業するので、建設現場周辺の地理に詳しくない場合が多いが、従来の地図では道路、鉄道、河川など一般的な地図情報が得られるだけであり、道路地図であってもガソリンスタンドの所在マークが追加されている程度であった。このため建設資材の販売店を探すのに時間が掛かり、作業が捗らないという問題があった。
本発明は、上記した従来技術の問題に鑑み、地理に明るくなくても建設現場近くの建設資材の販売店の場所を簡単に知ることのできる地図、地図表示装置、地図表示システムを提供することを、その目的とする。
【０００４】
【課題を解決するための手段】
請求項１記載の発明では、用紙に所定のエリアの道路を含む地図を表し、地図中に建設資材販売店の位置マークを追加したこと、を特徴としている。
請求項１において、建設資材販売店の位置マークに、店名、住所、販売品目、電話番号の内少なくとも店名を併記するようにしても良い。また、地図中に位置マークの追加された各建設資材販売店の店名、住所、電話番号、地図中の表示場所、販売品目の内、少なくとも店名と住所と電話番号を用紙の余白に表記するようにしても良い。また、地図中に位置マークの追加された各建設資材販売店の店名、住所、電話番号、地図中の表示場所、販売品目の内、少なくとも店名と住所と電話番号を用紙の余白にリスト型式で表記するようにしても良い。
請求項５記載の発明では、冊子状の地図であって、各頁に異なるエリアの道路を含む地図を表し、地図中に建設資材販売店の位置マークを追加したこと、を特徴としている。
請求項５において、位置マークに、店名、住所、販売品目、電話番号の内、少なくとも店名を併記するようにしても良い。また、地図中に位置マークの追加された各建設資材販売店の店名、住所、電話番号、地図中の表示場所、販売品目の内、少なくとも店名と住所と電話番号を各頁の余白または索引頁に表記するようにしても良い。また、地図中に位置マークの追加された各建設資材販売店の店名、住所、電話番号、地図中の表示場所、販売品目の内、少なくとも店名と住所と電話番号をリスト型式で各頁の余白または索引頁に表記するようにしても良い。
請求項９記載の発明では、地図表示用の地図データを記憶した地図データ記憶手段と、地図の検索操作をする操作手段と、地図画面を表示する表示手段と、操作手段で検索された所望エリアの地図データを地図データ記憶手段から読み出し、地図画像を描画して表示手段に表示させる地図描画手段と、を備えた地図表示装置において、地図表示用の地図データ中に、建設資材販売店の位置を示す位置マークを追加し、地図描画手段は所望エリアの地図画像を描画する際、建設資材販売店の位置を示す位置マークも描画するようにしたことを特徴としている。
請求項９において、地図表示用の地図データ中に、建設資材販売店の位置マークとともに、店名、住所、販売品目、電話番号の内少なくとも店名情報を付属しておき、地図描画手段は所望エリアの地図画像を描画する際、建設資材販売店の位置を示す位置マークと一緒に、店名、住所、販売品目、電話番号の内少なくとも店名情報を描画するようにしても良い。
請求項１１記載の発明では、地図表示用の地図データを蓄積し、外部からの要求に応じて地図データをネットワーク経由で配信する地図データ配信装置と、地図の検索操作をする操作手段と、地図画面を表示する表示手段と、操作手段で検索された所望エリアの地図データを外部の地図データ配信装置に要求し、返信された地図データを記憶手段に記憶させ、所望エリアの地図画像を描画して表示手段に表示させる地図描画手段とを備えた地図表示装置と、から成る地図表示システムにおいて、地図データ配信装置では地図表示用の地図データ中に、建設資材販売店の位置を示す位置マークを追加しておき、地図表示装置の地図描画手段は所望エリアの地図画像を描画する際、建設資材販売店の位置を示す位置マークも描画するようにしたこと、を特徴としている。
請求項１１において、地図データ配信装置では地図表示用の地図データ中に、建設資材販売店の位置マークとともに、店名、住所、販売品目、電話番号の内少なくとも店名情報を付属しておき、地図表示装置の地図描画手段は所望エリアの地図画像を描画する際、建設資材販売店の位置を示す位置マークと一緒に、店名、住所、販売品目、電話番号の内少なくとも店名情報を描画するようにしても良い。
請求項１３の発明では、地図表示用の地図データを記憶した地図データ記憶手段と、現在位置を検出する現在位置検出手段と、地図画面を表示する表示手段と、現在位置検出手段で検出された現在位置周辺の地図データを地図データ記憶手段から読み出し、地図画像を描画して表示手段に表示させる地図描画手段と、を備えた地図表示装置において、地図表示用の地図データ中に、建設資材販売店の位置を示す位置マークを追加し、地図描画手段は現在位置周辺の地図画像を描画する際、建設資材販売店の位置を示す位置マークも描画するようにしたこと、を特徴としている。
請求項１３において、地図表示用の地図データ中に、建設資材販売店の位置マークとともに、店名、住所、販売品目、電話番号の内少なくとも店名情報を付属しておき、地図描画手段は現在位置周辺の地図画像を描画する際、建設資材販売店の位置を示す位置マークと一緒に、店名、住所、販売品目、電話番号の内少なくとも店名情報を描画するようにしても良い。
請求項１５の発明では、地図表示用の地図データを蓄積し、外部からの要求に応じて地図データをネットワーク経由で配信する地図データ配信装置と、現在位置を検出する現在位置検出手段と、地図画面を表示する表示手段と、現在位置検出手段で検出された現在位置周辺の地図データを地図データ記憶手段から読み出し、地図画像を描画して表示手段に表示させる地図描画手段とを備えた地図表示装置、から成る地図表示システムにおいて、地図データ配信装置では地図表示用の地図データ中に、建設資材販売店の位置を示す位置マークを追加しておき、地図表示装置の地図描画手段は現在位置周辺の地図画像を描画する際、建設資材販売店の位置を示す位置マークも描画するようにしたこと、を特徴としている。
請求項１５において、地図データ配信装置では地図表示用の地図データ中に、建設資材販売店の位置マークとともに、店名、住所、販売品目、電話番号の内少なくとも店名情報を付属しておき、地図表示装置の地図描画手段は現在位置周辺の地図画像を描画する際、建設資材販売店の位置を示す位置マークと一緒に、店名、住所、販売品目、電話番号の内少なくとも店名情報を描画するようにしても良い。
【０００５】
【発明の実施の形態】
次に、本発明の第１の実施の形態を図１を参照して説明する。図１は本発明に係る単体シート状の地図の平面図である。
１は単体シート状の地図であり、１枚の用紙２に設けられた方形の地図印刷領域３に所定の地理的エリアの道路、鉄道、河川、公園、公共施設等の各種地図要素を含む所定の縮尺の地図が印刷されている。地図の左端と上端には縦方向を６分割する目盛Ｘ＝１〜６と横方向を６分割する目盛Ｙ＝Ａ〜Ｆが付けられている。
【０００６】
地図中には、各種の建設資材販売店（建築金物店、管材店、電材店、土木・建築材料店、作業服店、ホームセンター、空調資材店等）の位置マーク「☆１」、「☆２」、・・、「☆５」が所在地に該当する箇所に追加されている（図１の符号Ｍ１、Ｍ２、・・、Ｍ５参照）。これらの位置マーク「☆１」、「☆２」、・・、「☆５」により、図１の地図の地理的エリアの中で建設作業をしている作業者は、急に建設資材が必要になった場合に地図上で建設資材販売店の場所とルートを確認でき、すぐに建設資材販売店に行って必要な資材を購入することができる。この際、各位置マーク「☆１」、「☆２」、・・、「☆５」には各々、対応する店名「□□土木建築材料店」、「△○電材店」、「○×建築金物店」、「○○ホームセンター」、「××管材店」が併記されているので（図１の符号Ｎ１、Ｎ２、・・、Ｎ５参照）、所望の種類の建設資材を取り扱っている販売店を見つけるのが容易となる。
【０００７】
用紙２の下部の余白には、地図中に追加された各建設資材販売店についての位置マーク、ＸとＹの組み合わせで示す地図上の表示場所（Ｘ−Ｙ）、店名、住所、電話番号のリストＬＴが印刷により表記されている。このリストＬＴから地図中に追加された建設資材販売店の個数、各建設資材販売店の店名、地図上の表示場所、住所が判り、所望の種類の建設資材の販売店が地図上に有るか否か、有る場合にどこに在るかの判断が容易となる。更に、各建設資材販売店の電話番号も判るので、電話を掛けて在庫の有無などを問い合わせることもできる。
【０００８】
なお、リストＬＴに、建設資材販売店毎の販売品目を加えておけば所望の資材の取扱店を簡単に絞り込める。
また、地図中の各建設資材販売店の位置マークに、店名のほかに、住所、販売品目、電話番号の内の１または複数の情報を併記しておくようにし、リストＬＴは省略するようにしても良い（図２の地図１ａの内、符号Ｎ１´〜Ｎ５´参照）。
【０００９】
次に、本発明の第２の実施の形態を図３を参照して説明する。図３は本発明に係る冊子状の地図としての地図帳を開いた状態の平面図である。
１０は地図帳であり、多数枚の用紙２０が綴り合わされており、各頁に設けられた方形の地図印刷領域３に、頁毎に異なる地理的エリアの道路、鉄道、河川、公園、公共施設等の各種地図要素を含む所定の縮尺の地図が印刷されている。地図の左端と上端には縦方向を６分割する目盛Ｘ＝１〜６と横方向を６分割する目盛Ｙ＝Ａ〜Ｆが付けられている。また、各頁の上隅には頁番号が印刷されている。
【００１０】
地図中には、各種の建設資材販売店（建築金物店、管材店、電材店、土木・建築材料店、作業服店、ホームセンター、空調資材店等）の位置マーク「☆１」、「☆２」、・・、「☆５」が所在地に該当する箇所に追加されている（図３中のＭ１〜Ｍ５参照）。これらの位置マーク「☆１」、「☆２」、・・、「☆５」により、図３の地図帳１０の内、９５頁の地図の地理的エリアの中で建設作業をしている作業者は、急に建設資材が必要になった場合に地図上で建設資材販売店の場所とルートを確認でき、すぐに建設資材販売店に行って必要な資材を購入することができる。この際、この際、各位置マーク「☆１」、「☆２」、・・、「☆５」には各々、対応する店名「□□土木建築材料店」、「△○電材店」、「○×建築金物店」、「○○ホームセンター」、「××管材店」が併記されているので（図３の符号Ｎ１、Ｎ２、・・、Ｎ５参照）、所望の種類の建設資材を取り扱っている販売店を見つけるのが容易となる。
【００１１】
各頁の地図の下部の余白には、同じ頁の地図中に追加された各建設資材販売店について、位置マーク、ＸとＹの組み合わせで示す地図上の表示場所（Ｘ−Ｙ）、店名、住所、電話番号のリストＬＴが印刷により表記されている。このリストＬＴから地図中に追加された建設資材販売店の個数、各建設資材販売店の店名、地図上の表示場所、住所が判り、所望の種類の建設資材を取り扱っている販売店が地図上に有るか否か、有る場合にどこに在るかの判断が容易となる。更に、各建設資材販売店の電話番号も判るので、電話を掛けて在庫の有無などを問い合わせることもできる。
【００１２】
なお、リストＬＴに、建設資材販売店毎の販売品目を加えておけば所望の種類の資材の取扱店を簡単・確実に絞り込める。
リストＬＴは各頁の地図の下の余白でなく、地図帳１０の最後部分に追加した索引頁に表記するようにしても良く、この場合、建設資材販売店の地図中の表示場所は頁番号、Ｘ、Ｙの組み合わせで表現すれば良い。索引頁に表記する各建設資材販売店の店名、地図上の表示場所、住所、販売品目、電話番号のリストは、各地図頁の建設資材販売店群の別に分けても良く、或いは全地図頁分をまとめた１つのリストとしても良い。後者の全地図頁分をまとめる場合、建設資材販売店の種類別（例えば、建築金物店、管材店、電材店、土木・建築材料店、作業服店、ホームセンター、空調資材店等）に分類しても良い。
また、地図中の各建設資材販売店の位置マークに、店名のほかに、住所、販売品目、電話番号の内の１または複数の情報を併記しておくようにし、リストＬＴは省略するようにしても良い（図２参照）。
また、地図帳の全地図頁または一部の地図頁は見開き２頁分の地図印刷領域を合体させて１つの地図印刷領域とし、見開き２頁にわたって１つの地図を印刷するようにしても良い。
【００１３】
図４は本発明の第３の実施の形態に係る地図表示装置を示すブロック図である。
地図表示装置２０は携帯形または据え置き形または車載形のいずれであっても良い。地図表示装置２０の内、２１は地図表示用のエリア別の地図データを記憶した地図データ記憶部、２２は画面に地図画像を表示する表示部、２３は地図の検索操作をする操作部、２４は地図描画制御部であり、操作部２３によりユーザが選択した所望のエリアの地図データを地図データ記憶部２１から読み出し、該読み出した地図データに基づきユーザ所望のエリアの地図画像を描画し、表示部２２の画面２２ａに表示させる（図５参照）。
【００１４】
地図データ記憶部２１に記憶された地図データには、通常の道路、鉄道、河川、公共施設などの地図要素に加えて、建設資材販売店の位置マークのデータ（位置座標とマークのパターン）が追加してあり、かつ、該位置マークのデータに建設資材販売店の店名、住所、電話番号の店舗情報が付属してあり、地図描画制御部２４は所望のエリアの地図画像を描画する際、建設資材販売店の位置を示す位置マークと一緒に、店名、住所、電話番号の店舗情報を描画し、画面に表示させる。なお、店舗情報には取扱品目、営業日時を含めてもよい。
【００１５】
ユーザが或る現場で建設作業をしているときに、急に建設資材が必要になった場合、操作部２３で現場を含むエリアの地図の検索をする。すると、地図描画制御部２４はユーザが選択した所望のエリアの地図データを地図データ記憶部２１から読み出し、該読み出した地図データに基づきユーザ所望のエリアの地図画像を描画し、表示部２２の画面２２ａに表示させる。画面２２ａに表示された地図画像には図５に示す如く、各種の建設資材販売店（建築金物店、管材店、電材店、土木・建築材料店、作業服店、ホームセンター、空調資材店等）の位置マーク「☆１」、「☆２」、・・、「☆５」が所在地に該当する箇所に追加されている（図５の符号Ｍ１、Ｍ２、・・、Ｍ５参照）。これらの位置マーク「☆１」、「☆２」、・・、「☆５」により、現場近くの建設資材販売店の場所とルートを確認でき、すぐに建設資材販売店に行って必要な資材を購入することができる。この際、各位置マーク「☆１」、「☆２」、・・、「☆５」には各々、対応する店名「□□土木建築材料店」、「△○電材店」、「○×建築金物店」、「○○ホームセンター」、「××管材店」が併記されているので、所望の種類の建設資材を取り扱っている販売店を見つけるのが容易となる。更に、地図中の各建設資材販売店の位置マークと一緒に、店名に加えて住所と電話番号が一緒に表示されるので、人に場所を尋ねたり、直接電話を掛けて在庫の有無などを問い合わせることもできる（図５の符号Ｎ１´〜Ｎ５´参照）。
【００１６】
図６は図４の変形例に係る地図表示システムを示すブロック図である。
図６において地図表示装置２０Ａは通信機能を持ち、外部の地図データ配信装置３０とネットワーク４０を介して通信可能となっている。地図表示装置２０Ａは携帯形または据え置き形または車載形のいずれであっても良い。地図データ配信装置３０は地図表示用のエリア別の地図データを記憶した地図データ蓄積部を含み、外部から要求のあったエリアの地図データを要求元に返信する機能を有する。地図データ蓄積部３１に記憶された地図データには、通常の道路、鉄道、河川、公共施設などの地図要素に加えて、建設資材販売店の位置マークのデータ（位置座標とマークのパターン）が追加してあり、かつ、該位置マークのデータに建設資材販売店の店名、住所、電話番号の店舗情報が付属してある。なお、店舗情報には取扱品目、営業日時を含めてもよい。
【００１７】
地図表示装置２０Ａの内、２１Ａは地図表示用の地図データを記憶する地図データ記憶部、２２Ａは画面に地図画像を表示する表示部、２３Ａは地図の検索操作をする操作部、２４Ａは地図描画制御部であり、該地図描画制御部は通信機能を持ち、外部の地図データ配信装置３０とネットワーク４０を介して通信可能となっている。地図描画制御部２４Ａは操作部２３Ａによりユーザが選択した所望のエリアの地図データをネットワーク４０を経由して地図データ配信装置３０に要求し、返信された地図データを地図データ記憶部２１Ａに一時記憶させる。そして、地図データ記憶部２１Ａに一時記憶された地図データを読み出し、該読み出した地図データに基づきユーザ所望のエリアの地図画像を描画し、表示部２２Ａの画面２２ａに表示させる（図５参照）。
【００１８】
ユーザが或る現場で建設作業をしているときに、急に建設資材が必要になった場合、操作部２３Ａで現場を含むエリアの地図の検索をする。すると、地図描画制御部２４Ａはユーザが選択した所望のエリアの地図データをネットワーク４０を経由して地図データ配信装置３０に要求し、返信された地図データを地図データ記憶部２１Ａに一時記憶させる。そして、地図データ記憶部２１Ａに一時記憶された地図データを読み出し、該読み出した地図データに基づきユーザ所望のエリアの地図画像を描画し、表示部２２Ａの画面に表示させる。画面２２ａに表示された地図画像には図５に示す如く、各種の建設資材販売店（建築金物店、管材店、電材店、土木・建築材料店、作業服店、ホームセンター、空調資材店等）の位置マーク「☆１」、「☆２」、・・、「☆５」が所在地に該当する箇所に追加されている（図５の符号Ｍ１、Ｍ２、・・、Ｍ５参照）。これらの位置マーク「☆１」、「☆２」、・・、「☆５」により、現場近くの建設資材販売店の場所とルートを確認でき、すぐに建設資材販売店に行って必要な資材を購入することができる。この際、各位置マーク「☆１」、「☆２」、・・、「☆５」には各々、対応する店名「□□土木建築材料店」、「△○電材店」、「○×建築金物店」、「○○ホームセンター」、「××管材店」が併記されているので、所望の種類の建設資材を取り扱っている販売店を見つけるのが容易となる。更に、地図画像中の各建設資材販売店の位置マークと一緒に、店名に加えて住所と電話番号が一緒に表示されるので、人に場所を尋ねたり、直接電話を掛けて在庫の有無などを問い合わせることもできる（図５の符号Ｎ１´〜Ｎ５´参照）。
【００１９】
図７は本発明の第４の実施の形態に係る地図表示装置を示すブロック図である。
地図表示装置５０は携帯形または据え置き形または車載形のいずれであっても良い。地図表示装置５０の内、５１は地図表示用のエリア別の地図データを記憶した地図データ記憶部、５２は画面に地図画像を表示する表示部、５３は現在位置を衛星航法で検出する現在位置検出部、５４は地図描画制御部であり、現在位置検出部５３で検出された現在位置を含むエリアの地図データを地図データ記憶部２１から読み出し、該読み出した地図データに基づき現在位置周辺の地図画像を現在位置マークとともに描画し、表示部２２の画面５２ａに表示させる（図８参照）。
【００２０】
地図データ記憶部５１に記憶された地図データには、通常の道路、鉄道、河川、公共施設などの地図要素に加えて、建設資材販売店の位置マークのデータ（位置座標とマークのパターン）が追加してあり、かつ、該位置マークのデータに建設資材販売店の店名、住所、電話番号の店舗情報が付属してあり、地図描画制御部５４は所望のエリアの地図画像を描画する際、建設資材販売店の位置を示す位置マークと一緒に、店名、住所、電話番号の店舗情報を描画し、画面に表示させる。なお、店舗情報には取扱品目、営業日時を含めてもよい。
【００２１】
ユーザが或る現場で建設作業をしているときに、急に建設資材が必要になった場合、地図表示装置５０を稼働させる。すると、現在位置検出部５３が現在位置を検出し、地図描画制御部５４が現在位置を含むエリアの地図データを地図データ記憶部２１から読み出し、該読み出した地図データに基づき現在位置周辺の地図画像を現在位置マークとともに描画し、表示部２２の画面５２ａに表示させる。
画面５２ａに表示された現在位置周辺の地図画像には図８に示す如く、現在位置マーク（図８の符号ＰＭ参照）のほか、各種の建設資材販売店（建築金物店、管材店、電材店、土木・建築材料店、作業服店、ホームセンター、空調資材店等）の位置マーク「☆１」、「☆２」、・・、「☆５」が所在地に該当する箇所に追加されている（図８の符号Ｍ１、Ｍ２、・・、Ｍ５参照）。これらの位置マーク「☆１」、「☆２」、・・、「☆５」により、現場近くの建設資材販売店の場所とルートを確認でき、すぐに建設資材販売店に行って必要な資材を購入することができる。この際、各位置マーク「☆１」、「☆２」、・・、「☆５」には各々、対応する店名「□□土木建築材料店」、「△○電材店」、「○×建築金物店」、「○○ホームセンター」、「××管材店」が併記されているので、所望の種類の建設資材を取り扱っている販売店を見つけるのが容易となる。更に、地図画像中の各建設資材販売店の位置マークと一緒に、店名に加えて住所と電話番号が一緒に表示されるので、人に場所を尋ねたり、直接電話を掛けて在庫の有無などを問い合わせることもできる（図８の符号Ｎ１´〜Ｎ５´参照）。
【００２２】
図９は図７の変形例に係る地図表示システムを示すブロック図である。
地図表示装置５０Ａは通信機能を持ち、外部の地図データ配信装置３０とネットワーク４０を介して通信可能となっている。地図データ配信装置３０は地図表示用のエリア別の地図データを記憶した地図データ蓄積部を含み、外部から要求のあったエリアの地図データを要求元に返信する機能を有する。地図データ蓄積部３１に記憶された地図データには、通常の道路、鉄道、河川、公共施設などの地図要素に加えて、建設資材販売店の位置マークのデータ（位置座標とマークのパターン）が追加してあり、かつ、該位置マークのデータに建設資材販売店の店名、住所、電話番号の店舗情報が付属してある。なお、店舗情報には取扱品目、営業日時を含めてもよい。
【００２３】
地図表示装置５０Ａの内、５１Ａは地図表示用の地図データを記憶する地図データ記憶部、５２Ａは画面に地図画像を表示する表示部、５３Ａは現在位置を衛星航法で検出する現在位置検出部、５４Ａは地図描画制御部であり、該地図描画制御部は通信機能を持ち、外部の地図データ配信装置３０とネットワーク４０を介して通信可能となっている。地図描画制御部５４Ａは現在位置検出部５３Ａで検出された現在位置を含むエリアの地図データをネットワーク４０を経由して地図データ配信装置３０に要求し、返信された地図データを地図データ記憶部５１Ａに一時記憶させる。そして、地図データ記憶部５１Ａに一時記憶された地図データを読み出し、該読み出した地図データに基づき現在位置周辺の地図画像を現在位置マークとともに描画し、表示部５２Ａの画面５２ａに表示させる（図８参照）。
【００２４】
ユーザが或る現場で建設作業をしているときに、急に建設資材が必要になった場合、地図表示装置５０Ａを稼働させる。すると、現在位置検出部５３が現在位置を検出し、地図描画制御部５４Ａが現在位置を含むエリアの地図データをネットワーク４０を経由して地図データ配信装置３０に要求し、返信された地図データを地図データ記憶部５１Ａに一時記憶させる。そして、地図データ記憶部５１Ａに一時記憶された地図データを読み出し、該読み出した地図データに基づき現在位置周辺の地図画像を現在位置マークとともに描画し、表示部２２の画面５２ａに表示させる。
画面５２ａに表示された現在位置周辺の地図画像には図８に示す如く、現在位置マーク（図８の符号ＰＭ参照）のほか、各種の建設資材販売店（建築金物店、管材店、電材店、土木・建築材料店、作業服店、ホームセンター、空調資材店等）の位置マーク「☆１」、「☆２」、・・、「☆５」が所在地に該当する箇所に追加されている（図８の符号Ｍ１、Ｍ２、・・、Ｍ５参照）。これらの位置マーク「☆１」、「☆２」、・・、「☆５」により、現場近くの建設資材販売店の場所とルートを確認でき、すぐに建設資材販売店に行って必要な資材を購入することができる。この際、各位置マーク「☆１」、「☆２」、・・、「☆５」には各々、対応する店名「□□土木建築材料店」、「△○電材店」、「○×建築金物店」、「○○ホームセンター」、「××管材店」が併記されているので、所望の種類の建設資材を取り扱っている販売店を見つけるのが容易となる。更に、地図画像中の各建設資材販売店の位置マークと一緒に、店名に加えて住所と電話番号が一緒に表示されるので、人に場所を尋ねたり、直接電話を掛けて在庫の有無などを問い合わせることもできる（図８の符号Ｎ１´〜Ｎ５´参照）。
【００２５】
【発明の効果】
本発明の１つによれば、地図中に建設資材販売店の位置マークを追加したので、建設作業をしている作業者は、急に建設資材が必要になった場合に地図上で建設資材販売店の場所とルートを確認でき、すぐに建設資材販売店に行って必要な資材を購入することができる。
また、建設資材販売店の位置マークに対応付けて建設資材販売店の店名を載せたり、販売品目、電話番号などの情報を載せたので、所望の種類の建設資材を取り扱っている販売店を判別し易くなる。
本発明の他の１つによれば、地図画像中に建設資材販売店の位置マークを追加したので、建設作業をしている作業者は、急に建設資材が必要になった場合に地図画像上で建設資材販売店の場所とルートを確認でき、すぐに建設資材販売店に行って必要な資材を購入することができる。
また、建設資材販売店の位置マークに対応付けて建設資材販売店の店名を表示したり、販売品目、電話番号などの情報を表示したので、所望の種類の建設資材を取り扱っている販売店を判別し易くなる。
【図面の簡単な説明】
【図１】本発明の第１の実施の形態に係る単体シート状の地図の平面図である。
【図２】図１の変形例に係る単体シート状の地図の平面図である。
【図３】本発明の第２の実施の形態に係る冊子状の地図としての地図帳を開いた状態の平面図である。
【図４】本発明の第３の実施の形態に係る地図表示装置の構成を示すブロック図である。
【図５】図４の表示部に表示される地図画像の説明図である。
【図６】図４の変形例に係る地図表示システムの構成を示すブロック図である。
【図７】本発明の第４の実施の形態に係る地図表示装置の構成を示すブロック図である。
【図８】図７の表示部に表示される地図画像の説明図である。
【図９】図７の変形例に係る地図表示システムの構成を示すブロック図である。
【符号の説明】
１、１ａ　地図　　　　　　　　　　２、２０　用紙
３　地図印刷領域　　　　　　　　　１０　地図帳
Ｍ１〜Ｍ５　建設資材販売店の位置マーク
Ｎ１〜Ｎ５　建設資材販売店の店名
Ｎ１´〜Ｎ５´　建設資材販売店の店舗情報
２０、２０Ａ、５０、５０Ａ　地図表示装置
２１、２１Ａ、５１、５１Ａ　地図データ記憶部
２２、２２Ａ、５２、５２Ａ　表示部
２３、２３Ａ　操作部
２４、２４Ａ、５４、５４Ａ　地図描画制御部
３０　地図データ配信装置　　　　　３１　地図データ蓄積部
４０　ネットワーク
【図１】
2004126494.tif 000003
【図２】
2004126494.tif 000004
【図３】
2004126494.tif 000005
【図４】
2004126494.tif 000006
【図５】
2004126494.tif 000007
【図６】
2004126494.tif 000008
【図７】
2004126494.tif 000009
【図８】
2004126494.tif 000010
【図９】
2004126494.tif 000011